(57)【要約】【課題】革製品の美観性を保つことが可能な革製品用洗浄剤を提供する。【解決手段】ポリオキシアルキレンアルキルエーテル：２．０重量％以上４．０重量％以下と、メタケイ酸ナトリウム九水和物：２．０重量％以上３．０重量％以下と、エチレンジアミン四酢酸四ナトリウム塩：０．１重量％以上１．５重量％以下と、３−メトキシ−３−メチル−１−ブタノール：１０．０重量％以上２０．０重量％以下と、を含有することを特徴とする。【選択図】なし【特許請求の範囲】
【請求項１】
ポリオキシアルキレンアルキルエーテル：２．００重量％以上４．００重量％以下と、
メタケイ酸ナトリウム九水和物：２．００重量％以上３．００重量％以下と、
エチレンジアミン四酢酸四ナトリウム塩：０．１０重量％以上１．５０重量％以下と、
３−メトキシ−３−メチル−１−ブタノール：１０．００重量％以上２０．００重量％以下と、
を含有することを特徴とする革製品用洗浄剤。
【請求項２】
前記ポリオキシアルキレンアルキルエーテルの含有量は、２．００重量％以上３．００重量％以下であり、
前記エチレンジアミン四酢酸四ナトリウム塩の含有量は、０．１０重量％以上１．００重量％以下であり、
前記３−メトキシ−３−メチル−１−ブタノールの含有量は、１０．００重量％以上１５．００重量％以下であること
を特徴とする請求項１記載の革製品用洗浄剤。
【発明の詳細な説明】
【技術分野】
【０００１】
本発明は、革製品用洗浄剤に関する。
【背景技術】
【０００２】
従来、革製品等の汚れ落としに用いられる洗浄剤として、例えば特許文献１のスプレー用液体洗浄用組成物等が開示されている。
【０００３】
特許文献１に開示されたスプレー用液体洗浄組成物は、下記の（Ａ）成分と、（Ｂ）成分と、（Ｃ）成分とを含有することを特徴とする。（Ａ）最大繊維径が１０００ｎｍ以下で、数平均繊維径が２〜１００ｎｍのセルロース繊維であって、そのセルロースが、Ｉ型結晶構造を有するとともに、セルロース分子中のグルコースユニットのＣ６位の水酸基が選択的に酸化されてアルデヒド基およびカルボキシル基に変性されており、上記カルボキシル基量が０．６〜２．０ｍｍｏｌ／ｇの範囲である、セルロース繊維。（Ｂ）界面活性剤。（Ｃ）水。
【先行技術文献】
【特許文献】
【０００４】
【特許文献１】特開２０１１−０５７７４７号公報
【発明の概要】
【発明が解決しようとする課題】
【０００５】
しかしながら、革製品の汚れ落としに洗浄剤を用いた場合、洗浄組成物の組み合わせ次第で革表面を劣化させる懸念がある。これにより、革製品の美観性を損なう可能性があり得る。
【０００６】
他方、表面の劣化を抑制できる酸性洗浄剤等を用いると、汚れが十分に落とせない場合がある。また、酸性洗浄剤等は、長時間の洗浄を必要とする場合があり、それに伴い洗浄部と被洗浄部との間の色ムラ等を発生させる恐れがある。これらにより、革製品の美観性を損なう可能性があり得る。
【０００７】
この点、特許文献１に開示された技術では、洗浄組成物の洗浄性に関する記載がされているに過ぎず、革表面を劣化させる懸念を解決する旨の記載がされていない。このため、特許文献１に開示された技術では、革製品の美観性を損なう可能性があり得る。従って、革製品の美観性を保つことが可能な洗浄剤が望まれている。
【０００８】
そこで本発明は、上述した問題点に鑑みて案出されたものであり、その目的とするところは、革製品の美観性を保つことが可能な革製品用洗浄剤を提供するところにある。
【課題を解決するための手段】
【０００９】
請求項１記載の革製品用洗浄剤は、上述した課題を解決するために、ポリオキシアルキレンアルキルエーテル：２．００重量％以上４．００重量％以下と、メタケイ酸ナトリウム九水和物：２．００重量％以上３．００重量％以下と、エチレンジアミン四酢酸四ナトリウム塩：０．１０重量％以上１．５０重量％以下と、３−メトキシ−３−メチル−１−ブタノール：１０．００重量％以上２０．００重量％以下と、を含有することを特徴とする。
【００１０】
請求項２記載の革製品用洗浄剤は、請求項１の発明において、前記ポリオキシアルキレンアルキルエーテルの含有量は、２．００重量％以上３．００重量％以下であり、前記エチレンジアミン四酢酸四ナトリウム塩の含有量は、０．１０重量％以上１．００重量％以下であり、前記３−メトキシ−３−メチル−１−ブタノールの含有量は、１０．００重量％以上１５．００重量％以下であることを特徴とする。
【発明の効果】
【００１１】
上述した構成からなる本発明を適用した革製品用洗浄剤は、革表面の汚れを落とすとともに、革表面の劣化を抑制することができる。これにより、革製品の美観性を保つことが可能となる。
【発明を実施するための形態】
【００１２】
以下、本発明を適用した革製品用洗浄剤の実施形態について、詳細に説明する。
【００１３】
本発明を適用した革製品用洗浄剤は、ポリオキシアルキレンアルキルエーテル：２．００重量％以上４．００重量％以下と、メタケイ酸ナトリウム九水和物：２．００重量％以上３．００重量％以下と、エチレンジアミン四酢酸四ナトリウム塩：０．１０重量％以上１．５０重量％以下と、３−メトキシ−３−メチル−１−ブタノール：１０．００重量％以上２０．００重量％以下と、を含有する。革製品用洗浄剤は、上記のほか、希釈剤として水：７１．５０重量％以上８５．９０重量％以下を含有する。
【００１４】
以下、本発明を適用した革製品用洗浄剤における数値限定理由について説明する。
【００１５】
ポリオキシアルキレンアルキルエーテル：２．００重量％以上４．００重量％以下
ポリオキシアルキレンアルキルエーテルは、界面活性剤に分類され、革製品に付着した汚れをミセルとして水中に浮かせるものである。ポリオキシアルキレンアルキルエーテルの含有量が２．００重量％未満の場合、革製品に付着した汚れが浮遊しない。このため、汚れ除去性が低下する。また、ポリオキシアルキレンアルキルエーテルの含有量が４．００重量％を超える場合、洗浄後の水洗において革製品上に塗布した革製品用洗浄剤の拭き取りに時間がかかるほか、汚れが革製品に残り易くなる。このため、拭き取り容易性及び汚れ除去性が低下し、作業性の低下を引き起こす。よって、ポリオキシアルキレンアルキルエーテルの含有量は、２．００重量％以上４．００重量％以下とする。より好ましくは、ポリオキシアルキレンアルキルエーテルの含有量が２．００重量％以上３．００重量％以下とすることで、汚れ除去性及び拭き取り容易性の向上をさらに図ることができる。
【００１６】
メタケイ酸ナトリウム九水和物：２．００重量％以上３．００重量％以下
メタケイ酸ナトリウム九水和物は、アルカリ剤に分類され、革製品に付着した汚れを離間させるものである。メタケイ酸ナトリウム九水和物の含有量が２．００重量％未満の場合、革製品に付着した汚れが離間しない。このため、汚れ除去性が低下する。また、メタケイ酸ナトリウム九水和物の含有量が３．００重量％を超える場合、革製品用洗浄剤の安定性が悪くなる。このため、革製品用洗浄剤が濁ったり沈殿物が発生したりすることで、汚れが革製品に残り易くなるほか、革製品用洗浄剤の拭き取りに時間がかかる。これにより、汚れ除去性及び拭き取り容易性が低下し、作業性の低下を引き起こす。よって、メタケイ酸ナトリウム九水和物の含有量は、２．００重量％以上３．００重量％以下とする。
【００１７】
エチレンジアミン四酢酸四ナトリウム塩：０．１０重量％以上１．５０重量％以下
エチレンジアミン四酢酸四ナトリウム塩は、キレート剤に分類され、革製品に付着した汚れに含まれる金属を包み、汚れの再付着を抑制するものである。エチレンジアミン四酢酸四ナトリウム塩の含有量が０．１０重量％未満の場合、革製品から離間した汚れが再付着する。このため、汚れ除去性が低下する。また、エチレンジアミン四酢酸四ナトリウム塩の含有量が１．５０重量％を超える場合、他の組成物の効果を十分に得られず、革製品から汚れを除去することができないほか、革製品用洗浄剤の拭き取りに時間がかかる。これにより、汚れ除去性及び拭き取り容易性が低下し、作業性の低下を引き起こす。よって、エチレンジアミン四酢酸四ナトリウム塩の含有量は、０．１０重量％以上１．５０重量％以下とする。
【００１８】
３−メトキシ−３−メチル−１−ブタノール：１０．００重量％以上２０．００重量％以下
３−メトキシ−３−メチル−１−ブタノールは、溶剤に分類され、特に油系の汚れの除去を促進するものである。３−メトキシ−３−メチル−１−ブタノールの含有量が１０．００重量％未満の場合、油系の汚れを除去しきれない。このため、汚れ除去性が低下する。また、３−メトキシ−３−メチル−１−ブタノールの含有量が２０．００重量％を超える場合、革製品の表面を劣化させる。このため、革製品の美観性が低下する。よって、３−メトキシ−３−メチル−１−ブタノールの含有量は、１０．００重量％以上２０．００重量％以下とする。
【００１９】
水：７１．５０重量％以上８５．９０重量％以下
水は、希釈剤に分類され、例えば純水である。水の含有量は、他の成分の含有量に応じて調整される。上述した他の成分の含有量を踏まえ、水の含有量は、７１．５０重量％以上８５．９０重量％以下とする。本発明を適用した革製品用洗浄剤は、例えば上述した５つの成分からなる。
【００２０】
なお、本発明を適用した革製品用洗浄剤は、例えば３−メトキシ−３−メチル−１−ブタノールの含有量が１０．００重量％以上１５．００重量％以下とすることで、革製品の表面の劣化をさらに抑制することができ、革製品の美観性を容易に保つことが可能となる。このとき、ポリオキシアルキレンアルキルエーテルの含有量が２．００重量％以上３．００重量％以下、メタケイ酸ナトリウム九水和物の含有量が２．００重量％以上３．００重量％以下、及びエチレンジアミン四酢酸四ナトリウム塩の含有量が０．１０重量％以上１．００重量％以下とすることで、拭き取り容易性の向上をさらに図ることができる。
【実施例】
【００２１】
以下、本発明を適用した革製品用洗浄剤の特性について、実施例及び比較例を挙げて具体的に説明する。
【００２２】
【表１】
2018203835.tif 000002
本実施例において、革製品用洗浄剤に含有される各成分を上記表１の割合で混合し、実施例及び比較例の特性を評価した。特性の評価項目として、汚れ除去性、拭き取り容易性、及び革製品の損傷性の３項目を評価した。各評価項目に用いたサンプル作成の手順は、「ＪＩＳＬ１９１９：繊維製品の防汚性試験方法」を参考に、下記方法に沿って実施した。
【００２３】
評価サンプルとして、約３年間使用された自動車用のレザーシート（牛革）を準備し、６０ｍｍ×１００ｍｍに切り出したものを用いた。評価サンプルにおいて、洗浄部（評価対象部）及び未洗浄部（評価基準部）を二分するためのマスキングテープを貼った。その後、洗浄部に各洗浄剤をスプレーにより１グラム噴射し、１０秒間置いた後、豚毛ブラシで力を入れずに５往復した。その後、水で湿らせたマイクロファイバータオルにて洗浄剤を拭き取り、乾いたタオルで洗浄部表面に残った水分を拭き取った。最後に、マスキングテープを剥がして各評価を実施した。
【００２４】
汚れ除去性の評価は、「ＪＩＳＬ０８０５：染色用グレースケール」を参考にした目視評価を用い、洗浄部と未洗浄部との外観を比較して１０段階で評価した。すなわち、評価１は洗浄部と未洗浄部との差が見えない状態を示し、評価２から評価１０へ増加するに伴い、洗浄部と未洗浄部の差が明確になった状態を示す。
【００２５】
拭き取り容易性の評価は、洗浄部において下記５レベルを基準とした目視を実施し、１０段階で評価した。すなわち、レベル１は目視で洗浄剤の残りが見える状態を示し、評価２とした。レベル２は目視では見えないが、触ると油分が残っており明らかに手に付着する状態を示し、評価４とした。レベル３は、目視では見えないが、油分が少し残っており、指を擦ると付着する状態を示し、評価６とした。レベル４は、手で触れても油分を確認できないが、水滴を垂らすと撥水する状態を示し、評価８とした。レベル５は、手で触れても油分を確認できず、水滴を垂らしても撥水しない状態を示し、評価１０とした。
【００２６】
また、レベル１に比べて明らかに洗浄剤の残りが見える状態を、評価１とした。レベル１とレベル２との間の状態を、評価３とした。レベル２とレベル３との間の状態を、評価５とした。レベル３とレベル４との間の状態を、評価７とした。レベル４とレベル５との間の状態を、評価９とした。
【００２７】
革製品の損傷性の評価は、洗浄部において下記５レベルを基準とした目視を実施し、１０段階で評価した。すなわち、レベル１は色合いが濃くなっており、擦った部分が荒れている状態を示し、評価２とした。レベル２は色合いが若干濃くなっており、擦った部分が少し異なる感触の状態を示し、評価４とした。レベル３は、色合いの変化はないが、擦った部分が少し荒れた感じになっている状態を示し、評価６とした。レベル４は、色合いの変化も擦りの変化もないが若干風合いの差が感じられる状態を示し、評価８とした。レベル５は、色合い、擦り、風合いの変化もなくしっとり感が出ている状態を示し、評価１０とした。
【００２８】
また、レベル１に比べて色合いが明らかに濃く、擦った部分が明らかに荒れている状態を、評価１とした。レベル１とレベル２との間の状態を、評価３とした。レベル２とレベル３との間の状態を、評価５とした。レベル３とレベル４との間の状態を、評価７とした。レベル４とレベル５との間の状態を、評価９とした。
【００２９】
表１に示すように、比較例１〜４では、ポリオキシアルキレンアルキルエーテルの含有量が２．００重量％未満、及びメタケイ酸ナトリウム九水和物の含有量が２．００重量％未満の少なくとも何れかである。このため、革製品に対する汚れ除去性が６未満であり、革製品の美観性を保てないことが確認された。
【００３０】
比較例５では、エチレンジアミン四酢酸四ナトリウム塩の含有量が０．０９重量％である。このため、革製品に対する汚れ除去性が５であり、革製品の美観性を保てないことが確認された。
【００３１】
比較例６では、３−メトキシ−３−メチル−１−ブタノールの含有量が９．００重量％である。このため、革製品に対する汚れ除去性が５であり、革製品の美観性を保てないことが確認された。
【００３２】
比較例７では、メタケイ酸ナトリウム九水和物の含有量が３．１０重量％である。このため、革製品に対する汚れ除去性が５、及び拭き取り容易性が５であり、革製品の美観性を保てないことが確認された。
【００３３】
比較例８では、ポリオキシアルキレンアルキルエーテルの含有量が４．１０重量％である。このため、革製品に対する汚れ除去性が４、及び拭き取り容易性が５であり、革製品の美観性を保てないことが確認された。
【００３４】
比較例９では、３−メトキシ−３−メチル−１−ブタノールの含有量が２１．００重量％である。このため、革製品の損傷性が５であり、革製品の美観性を保てないことが確認された。
【００３５】
比較例１０では、エチレンジアミン四酢酸四ナトリウム塩の含有量が１．６０重量％である。このため、革製品に対する汚れ除去性が５、及び拭き取り容易性が５であり、革製品の美観性を保てないことが確認された。
【００３６】
上述した比較例１〜１０に対し、本実施例１〜８では、ポリオキシアルキレンアルキルエーテルの含有量が２．００重量％以上４．００重量％以下であり、メタケイ酸ナトリウム九水和物の含有量が２．００重量％以上３．００重量％以下であり、エチレンジアミン四酢酸四ナトリウム塩が０．１０重量％以上１．５０重量％以下であり、３−メトキシ−３−メチル−１−ブタノールの含有量が１０．００重量％以上２０．００重量％以下である。このため、革製品に対する汚れ除去性が６以上、拭き取り容易性が６以上、及び革製品の損傷性が６以上であり、革製品の美観性を保つことが確認された。
【００３７】
また、本実施例１〜３、及び本実施例５では、ポリオキシアルキレンアルキルエーテルの含有量が２．００重量％以上３．００重量％以下であり、メタケイ酸ナトリウム九水和物の含有量が２．００重量％以上３．００重量％以下であり、エチレンジアミン四酢酸四ナトリウム塩が０．１０重量％以上１．００重量％以下であり、３−メトキシ−３−メチル−１−ブタノールの含有量が１０．００重量％以上１５．００重量％以下である。このため、革製品に対する汚れ除去性が６以上、拭き取り容易性が７以上、及び革製品の損傷性が８以上であり、引き取り容易性及び革製品の損傷性の向上が確認された。
【００３８】
以上、本実施形態における革製品用洗浄剤によれば、革表面の汚れを落とすとともに、革表面の劣化を抑制することができる。これにより、革製品の美観性を保つことが可能となる。
【００３９】
本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。